(57)【要約】  冷凍サイクル装置における電気品カバーの落下防止構造は、冷凍サイクル装置の電気品を収納する電気品箱（３）を備える。電気品箱（３）は、一側面が開口したケース（５）と、起立姿勢でケースの開口部を覆い、ケース（５）にネジ留めされる電気品カバー（６）とを備える。電気品カバー（６）は、電気品カバー（６）の上端部から後方に延びる後方延出部と、後方延出部の先端部から上方に延びる上方延出部とを有するツメ（７）を備え、ケースにネジ留めされた状態で、ツメ（７）が、ケース（５）のうち上下方向に延びる部分に設けられた挿入穴（８）に挿入されている。ネジ留めが取り外された際には、ツメ（７）が挿入穴（８）の上部に引っ掛かって電気品カバー（６）が落下しない。
2019049259.tif 000002
【特許請求の範囲】
【請求項１】
冷凍サイクル装置の電気品を収納する電気品箱を備え、  前記電気品箱は、  一側面が開口したケースと、  起立姿勢で前記ケースの開口部を覆い、前記ケースにネジ留めされる電気品カバーとを備え、  前記電気品カバーは、前記電気品カバーの上端部から後方に延びる後方延出部と、前記後方延出部の先端部から上方に延びる上方延出部とを有するツメを備え、前記ケースにネジ留めされた状態で、前記ツメが、前記ケースのうち上下方向に延びる部分に設けられた挿入穴に挿入されており、前記ネジ留めが取り外された際には、前記ツメが前記挿入穴の上部に引っ掛かって前記電気品カバーが落下しない冷凍サイクル装置における電気品カバーの落下防止構造。
【請求項２】
前記ツメの前記上方延出部の上下方向の長さは、前記挿入穴の前記上下方向の長さよりも長い請求項１記載の冷凍サイクル装置における電気品カバーの落下防止構造。
【請求項３】
前記電気品カバーの前記後方延出部は、前記電気品カバーの上端部から後方斜め上方に延びる請求項１又は請求項２記載の冷凍サイクル装置における電気品カバーの落下防止構造。
【請求項４】
電気品カバーが前記ケースにネジ留めされた姿勢における前記後方延出部の水平方向の長さから、前記挿入穴が設けられた部分の厚みを引いた長さが、５ｍｍ以上、２０ｍｍ以下である請求項１〜請求項３の何れか一項に記載の冷凍サイクル装置における電気品カバーの落下防止構造。
【請求項５】
前記ケースは、前記電気品を収納するケース本体と、前記電気品カバーの上側の開口部を覆う上カバーとを備え、前記挿入穴は前記上カバーに形成されている請求項１〜請求項４の何れか一項に記載の冷凍サイクル装置における電気品カバーの落下防止構造。
【請求項６】
前記上カバーは、前記上カバーの下端部が折り返された第１カーリング部を有し、また、前記ツメの前記上方延出部は、前記上方延出部の上端部が折り返された第２カーリング部を有する請求項５記載の冷凍サイクル装置における電気品カバーの落下防止構造。
【発明の詳細な説明】
【技術分野】
【０００１】  この発明は、冷凍サイクル装置に備えられる電気品箱から電気品カバーを取り外す際の電気品カバーの落下防止構造に関する。
【背景技術】
【０００２】  冷凍サイクル装置の一例として壁掛け形の空気調和機がある。空気調和機の室内機には、制御ユニット等を内部に収容した電気品箱が備えられている。電気品箱は、ケースと、ケースの開口部を覆う電気品カバーとを有し、電気品カバーがケースにネジで固定されている。メンテナンス時には、ネジを取り外して電気品カバーをケースから取り外すことで、電気品箱内の制御ユニットにアクセスすることが可能となっている。
【先行技術文献】
【特許文献】
【０００３】
【特許文献１】特開平７−１９０４０６号公報
【発明の概要】
【発明が解決しようとする課題】
【０００４】  特許文献１では、電気品カバーがケースにネジで固定されているが、その他の係合手段を持っていないため、ネジを外すと電気品カバーがケースから落下してしまう。このため、作業者は、電気品カバーが落下しないように電気品カバーを抑えながらネジを取り外す必要があり、作業性を損なうという問題があった。【０００５】  この発明はこのような点を鑑みなされたもので、電気品カバーを取り外す際の電気品カバーの落下を防止することが可能な冷凍サイクル装置における電気品カバーの落下防止構造を提供することを目的とする。
【課題を解決するための手段】
【０００６】  この発明に係る冷凍サイクル装置における電気品カバーの落下防止構造は、冷凍サイクル装置の電気品を収納する電気品箱を備え、電気品箱は、一側面が開口したケースと、起立姿勢でケースの開口部を覆い、ケースにネジ留めされる電気品カバーとを備え、電気品カバーは、電気品カバーの上端部から後方に延びる後方延出部と、後方延出部の先端部から上方に延びる上方延出部とを有するツメを備え、ケースにネジ留めされた状態で、ツメが、ケースのうち上下方向に延びる部分に設けられた挿入穴に挿入されており、ネジ留めが取り外された際には、ツメが挿入穴の上部に引っ掛かって電気品カバーが落下しないものである。
【発明の効果】
【０００７】  この発明によれば、電気品カバーのケースに対するネジ留めが取り外されても、電気品カバーに設けたツメが、ケースに設けた挿入穴の上部に引っ掛かるため、電気品カバーの落下を防止することができる。
【図面の簡単な説明】
【０００８】
【図１】この発明の実施の形態１に係る空気調和機の室内機の斜視図である。
【図２】図１の室内機から前面カバーを取り外した状態を示す斜視図である。
【図３】図２の電気品箱の一部を分解した分解斜視図である。
【図４】図２の電気品箱の上カバーの斜視図である。
【図５】図２の電気品箱の電気品カバーの斜視図である。
【図６】図２の電気品箱の電気品カバーがケースの上カバーに取り付けられた状態における要部断面図である。
【図７】図２の電気品箱の電気品カバーをケースの上カバーに取り付ける際の動作説明図である。
【図８】図２の電気品箱の電気品カバーの落下を防止した状態における要部断面図である。
【図９】この発明の実施の形態１に係る空気調和機の冷媒回路を示す図である。
【発明を実施するための形態】
【０００９】  以下、発明の実施の形態について図面等を参照しながら説明する。以下の図面において、同一の符号を付したものは、同一又はこれに相当するものであり、以下に記載する実施の形態の全文において共通することとする。そして、明細書全文に表わされている構成要素の形態は、あくまでも例示であって、明細書に記載された形態に限定するものではない。また、以下の説明で用いる「上」「下」「左」「右」「前」「後」は、特に断らない限り、室内機を正面側から見た場合の方向を意味している。そして、図面では各構成部材の大きさの関係が実際のものとは異なる場合がある。
【００１０】  この発明は、電気品カバーの落下防止構造に関するものであり、電気品カバーの落下防止構造が適用される冷凍サイクル装置として、以下では空気調和機を例に説明する。
【００１１】実施の形態１．  図１は、この発明の実施の形態１に係る空気調和機の室内機の斜視図である。図２は、図１の室内機から前面カバーを取り外した状態を示す斜視図である。  室内機１００は、空調する部屋の壁面上部に設置される壁掛け型である。室内機１００の筐体１内には、室内熱交換器２が配置され、また、室内熱交換器２の側方に電気品箱３が配置されている。図２において点線で囲った部分が電気品箱３である。
【００１２】  図３は、図２の電気品箱の一部を分解した分解斜視図である。図４は、図２の電気品箱の上カバーの斜視図である。図５は、図２の電気品箱の電気品カバーの斜視図である。図６は、図２の電気品箱の電気品カバーがケースの上カバーに取り付けられた状態における要部断面図である。  電気品箱３は、ケース５と、ケース５の開口部を覆う電気品カバー６とを有している。ケース５は、電気品である制御ユニット４を内部に収納するケース本体５ａと、ケース本体５ａの上側の開口部を覆う上カバー５ｂと、ケース本体５ａの右側の開口部を覆う右カバー５ｃとを備えている。ケース本体５ａに上カバー５ｂ及び右カバー５ｃが取り付けられた状態のケース５の前面は開口しており、その開口部が、起立姿勢の電気品カバー６で覆われる構成となっている。
【００１３】  上カバー５ｂは、上下方向に延びる前面５ｂａを有し、前面５ｂａに、電気品カバー６の後述のツメ７が挿入される挿入穴８と、ネジ穴９とが設けられている。上カバー５ｂは、ネジ９ａがネジ穴９に通され、ケース本体５ａに設けたネジ穴１１に螺合されることでケース本体５ａにネジ留めされる。また、上カバー５ｂの下端部にはカーリング加工が施され、後方に折り返されたカーリング部５ｂｂが形成されている。カーリング部５ｂｂはこの発明の第１カーリング部に相当する。
【００１４】  電気品カバー６は、上端部にツメ７が形成され、下端部にネジ穴１０が形成されている。ツメ７は、電気品カバー６の上端部から後方斜め上方に延びる後方延出部７ａと、後方延出部７ａの先端部から上方に延びる上方延出部７ｂとを備えている。また、上方延出部７ｂの先端部にはカーリング加工が施され、前方に折り返されたカーリング部７ｂａが形成されている。カーリング部７ｂａはこの発明の第２カーリング部に相当する。
【００１５】  そして、ツメ７の上方延出部７ｂの上下方向の長さＬ１は、上カバー５ｂの挿入穴８の上下方向の長さＬ２よりも長く形成されている。また、「後方延出部７ａの水平方向の長さＬ３から上カバー５ｂの厚みを引いた長さ」が５ｍｍ以上２０ｍｍ以下に形成されている。このような寸法設定とした理由は後述する。
【００１６】  図７は、図２の電気品箱の電気品カバーをケースの上カバーに取り付ける際の動作説明図である。  電気品カバー６をケース５の上カバー５ｂに取り付ける際には、まず、作業者は、電気品カバー６を傾けてツメ７を挿入穴８に挿入する。そして、図６に示すように電気品カバー６の後面６ａを上カバー５ｂの前面５ｂａに接触させる。その状態で、作業者は、電気品カバー６の下端部に設けたネジ穴１０にネジ１０ａを通し、ケース本体５ａに設けたネジ穴１２に螺合する。これにより、電気品カバー６がケース本体５ａにネジ留めされる。なお、ここでは、電気品カバー６がケース本体５ａにネジ留めされた状態においてツメ７の後方延出部７ａが挿入穴８の底面８ａから浮いた位置にある。
【００１７】  メンテナンス時に、作業者がケース５内の制御ユニット４にアクセスする際には、ケース５から電気品カバー６を取り外す。すなわち、まず、作業者はケース本体５ａにネジ留めしているネジ９ａを取り外す。ネジ９ａを取り外した時の電気品カバーの状態を次の図８に示す。
【００１８】  図８は、図２の電気品箱の電気品カバーの落下を防止した状態における要部断面図である。  ネジ９ａを取り外すことで、電気品カバー６は、元の位置から、ツメ７の後方延出部７ａが挿入穴８の底面８ａに接触する位置まで落下する。しかし、図８に示すように電気品カバー６は挿入穴８に係止されるため、ケース５から離脱して落下することはない。
【００１９】  ここで、上述したように、上方延出部７ｂの長さＬ１は、上カバー５ｂの挿入穴８の上下方向の長さＬ２よりも長く形成されている。仮に、Ｌ１がＬ２よりも短い場合、ツメ７の上方延出部７ｂが挿入穴８から抜けて電気品カバー６が落下する。しかし、ここでは、Ｌ１がＬ２よりも長いため、ツメ７の上方延出部７ｂが挿入穴８から抜けることなく、挿入穴８の上部に引っ掛かる。これにより、電気品カバー６がケース５から落下するのを防ぐことができる。なお、Ｌ１が長すぎた場合には、電気品カバー６を上カバー５ｂに取り付け難くなり、組立性が悪くなる。このため、この点を考慮して上方延出部７ｂの長さを設定するとよい。
【００２０】  以上説明したように、この実施の形態１によれば、電気品カバー６のケース５に対するネジ留めが取り外されても、電気品カバー６に設けたツメ７が、ケース５に設けた挿入穴８の上部に引っ掛かるため、電気品カバー６がケース５から落下するのを防止できる。このように、ツメ７が挿入穴８に引っ掛かるのは、ツメ７の上方延出部７ｂの上下方向の長さを挿入穴８の上下方向の長さよりも長くしたことに寄る。
【００２１】  また、ツメ７の後方延出部７ａを、電気品カバー６の上端部から後方斜め上方に延びる構成としたので、ツメ７が挿入穴８の上部に引っ掛かった際に、電気品カバー６は、後方延出部７ａの傾斜に沿って前方へずり落ちる。その結果、電気品カバー６と上カバー５ｂの間に隙間Ｓ（図８参照）が形成される。このように隙間Ｓが形成されることで、電気品カバー６のケース５とのネジ留めが外れていることを目視で確認しやすくなる。
【００２２】  この隙間Ｓは、「後方延出部７ａの水平方向の長さＬ３から上カバー５ｂの厚みを引いた長さ」を一定以上、具体的には５ｍｍ以上、確保することで、目視で十分に確認しやすい構成となる。なお、「後方延出部７ａの水平方向の長さＬ３から上カバー５ｂの厚みを引いた長さ」の上限値は、上述したように２０ｍｍとする。この長さが長くなりすぎると、組立時にツメ７を挿入穴８に入れる際に挿入穴８を狙いにくくなる。よって、この点を考慮して上限値を２０ｍｍとしている。
【００２３】  また、上カバー５ｂの下端部にカーリング部５ｂｂが形成され、ツメ７の上方延出部７ｂの先端部にカーリング部７ｂａが形成されているので、電気品カバー６を電気品箱３に取り付ける際の切創を防止することができる。つまり、電気品カバー６の上方延出部７ｂで上カバー５ｂの表面に傷を付けたり、上カバー５ｂの下端部で電気品カバー６の表面に傷を付けたりという不都合を防止できる。
【００２４】  なお、ここではケース５の前面が開口した構成を示したが、開口の位置は前面に限定するものではない。例えば、図２の例では右側面に開口を有し、この開口部を覆う電気品カバーに本発明の落下防止構造を適用してもよい。要するに、一側面が開口したケースと、起立姿勢でケースの開口部を覆う電気品カバーとを備えた電気品箱に本発明の落下防止構造を適用できる。
【００２５】  ここで、上記の室内機１００を有する空気調和機全体の構成について説明しておく。
【００２６】  図９は、この発明の実施の形態１に係る空気調和機の冷媒回路を示す図である。図９において点線矢印は暖房運転時の冷媒の流れを示し、実線矢印は冷房運転時の冷媒の流れを示している。  この空気調和機は、いわゆるセパレート型の空気調和機であって、上記の室内機１００の他に、室外機２００を備えている。室内機１００と室外機２００とは、ガス冷媒配管３００と液冷媒配管４００とにより配管接続されている。室外機２００は、圧縮機２１０、四方弁２２０、室外熱交換器２３０及び減圧装置２４０を有している。
【００２７】  圧縮機２１０は、吸入した冷媒を圧縮して吐出する。圧縮機２１０は、特に限定するものではないが、例えばインバータ回路等により、運転周波数を任意に変化させることが可能な構成とし、圧縮機２１０の容量を変化させることができるようにしてもよい。容量とは、単位時間あたりの冷媒を送り出す量である。四方弁２２０は、例えば冷房運転時と暖房運転時とで冷媒の流れを切り換える弁である。
【００２８】  室外熱交換器２３０は、冷媒と室外の空気との熱交換を行う。室外熱交換器２３０は、暖房運転時においては蒸発器として機能し、冷媒を蒸発させ、気化させる。また、室外熱交換器２３０は、冷房運転時においては凝縮器として機能し、冷媒を凝縮して液化させる。
【００２９】  減圧装置２４０は、冷媒を減圧して膨張させる。減圧装置２４０は、例えば電子式膨張弁等で構成され、制御装置（図示せず）等の指示に基づいて開度調整を行う。室内熱交換器２は、例えば空調対象となる空気と冷媒との熱交換を行う。室内熱交換器２は、暖房運転時においては凝縮器として機能し、冷媒を凝縮して液化させる。また、室内熱交換器２は、冷房運転時においては蒸発器として機能し、冷媒を蒸発させ、気化させる。
【００３０】  以上のように空気調和機を構成し、四方弁２２０により冷媒の流れを切り換えることで、空気調和機は暖房運転及び冷房運転を実現することができる。
【００３１】  なお、上述の実施の形態１では、この発明の電気品カバーの落下防止構造を、空気調和機の室内機に適用した例を示したが、空気調和機の室内機に限定するものではない。この発明の電気品カバーの落下防止構造は、例えば冷蔵装置又は冷凍装置等、他の冷凍サイクル装置にも適用できる。
【符号の説明】
【００３２】  １  筐体、２  室内熱交換器、３  電気品箱、４  制御ユニット、５  ケース、５ａ  ケース本体、５ｂ  上カバー、５ｂａ  前面、５ｂｂ  カーリング部、５ｃ  右カバー、６  電気品カバー、６ａ  後面、７  ツメ、７ａ  後方延出部、７ｂ  上方延出部、７ｂａ  カーリング部、８  挿入穴、８ａ  底面、９  ネジ穴、９ａ  ネジ、１０  ネジ穴、１０ａ  ネジ、１１  ネジ穴、１２  ネジ穴、１００  室内機、２００  室外機、２１０  圧縮機、２２０  四方弁、２３０  室外熱交換器、２４０  減圧装置、３００  ガス冷媒配管、４００  液冷媒配管、Ｓ  隙間。
【図１】
2019049259.tif 000003
【図２】
2019049259.tif 000004
【図３】
2019049259.tif 000005
【図４】
2019049259.tif 000006
【図５】
2019049259.tif 000007
【図６】
2019049259.tif 000008
【図７】
2019049259.tif 000009
【図８】
2019049259.tif 000010
【図９】
2019049259.tif 000011
【国際調査報告】
2019049259.tif 000012
2019049259.tif 000013
2019049259.tif 000014
2019049259.tif 000015